(57)【要約】【課題】多少の部品バラツキがあってキーがストローク時にぶれたりしても、キーとスイッチが確実に接触し、キーの潜り込みが発生しないキー操作部構造を提供する。【解決手段】タクトキー９側の下端側に、タクトキー９が左右、前後方向にスライドしても沈み込まないようにするためのリブ状の部材１１を設けて必ずスイッチ４を下方向に押してオンさせ得るようにしる。操作部カバー１から上方に飛び出したタクトキー９を押すと下側に沈み、スイッチ４を押す際に左右、前後方向に操作部のガタ分でタクトキー９が左右、前後方向に傾くが、リブ状の部材１１によってキー４との接触可能範囲が広がっているので、確実にスイッチ４が押されてオンすることになる。【選択図】　　　　図４
2004087184.tif 000002
【特許請求の範囲】
【請求項１】
キーを押し込んでスイッチに接触させることにより該キーを駆動するキー操作部構造において、上記キーの上記スイッチとの接触端側に、上記キーと上記スイッチとの接触可能範囲を広げる部材を設けてなることを特徴とするキー操作部構造。
【請求項２】
請求項１のキー操作部構造において、上記接触範囲を広げる部材に代えて、上記キーと上記スイッチの接触面に位置する摩擦抵抗の大きい部材を設けてなることを特徴とするキー操作部構造。
【請求項３】
請求項１のキー操作部構造において、上記接触範囲を広げる部材に代えて、上記キーと上記スイッチの接触する面それぞれに噛み合い可能な凹凸形状部を設けてなることを特徴とするキー操作部構造
【発明の詳細な説明】
【０００１】
【発明の属する技術分野】
本発明は、ファクシミリ等の画像読取装置や、用紙を読込む装置に搭載する操作部のキー操作部構造に関する。
【０００２】
【従来の技術及び発明が解決しようとする課題】
現在、ファクシミリ装置等の画像読取装置に搭載している操作部で表示機能を持ったものでは、ユーザが表示を見ながら作業するために、ユーザの身長や環境等を考慮して表示部の高さ、角度等を決めている。一方、操作性向上を図るためや小スペース化の影響で、表示部近傍にキーを配置するケースが多くなってきている。
【０００３】
通常この種の操作部では、キー操作はキー上方向から下方向に押すというもので、キーの下側の基板を垂直に設け、その上に搭載したスイッチを押すようになっている。ところが最近では、コストと操作性の観点から斜め方向にキーを押し、基板（スイッチ）はカバー対して平行に設けるという構造のものが出現している。このような構造では、部品バラツキ等が原因で、キーがスイッチの上部を平行に押せずに外れてしまい、いわゆるキーのもぐり込みが発生してしまうことがある。
【０００４】
ファクシミリ装置等の画像読取装置に搭載している操作部についての従来の構成、動作について説明する。まず構成について図１を用いて説明すると、操作部カバー１の裏側からタクトキー２を操作部カバー１の所定の穴にはめ込んでセットする。その後、キー用スイッチ４とＬＣＤ（表示部）５を基板３上に搭載し、タクトキー２の裏側にセットし、ねじ６で固定する。
【０００５】
次に図２の断面図を用いて動作について説明する。操作部カバー１から上側に飛出たタクトキー２を押すと、基板３に取り付けてあるキー用スイッチ４を下方向に押し、ＬＣＤ５がＯＮ表示となり、操作者はタクトキー２を押したことが認識されたことがわかる。
【０００６】
操作部カバー１には、ＬＣＤ５を図中斜め上方からユーザが読むため、見やすいようにタクトスイッチ２を設けた水平部位１ａよりも上方向へ向くように角度θを付けた部位１ｂが設けてある。この角度θを付けた部位１ｂにはタクトキー９が取り付けてある。このタクトキー９は、斜め上方向から押して操作部カバー１と平行な基板３上のスイッチ４を押すことになる。
【０００７】
すなわち、従来はＬＣＤ５のみの別基板を設けてタクトキー９の押される角度と平行な位置にスイッチ４を置いていたが、コストや作業効率、剛性等の観点から基板３をスイッチ基板、ＬＣＤ基板を１枚にまとめたものとしてタクトキー９の斜め押しで対応するようにしたものである。
【０００８】
この構造では、図３に点線で示したように、操作部カバー１とタクトキー９の隙間分でタクトキー９が所定の状態よりも斜め傾き、基板３上に搭載しているスイッチ４の上面を擦りながら横方向にずれてしまうことがある。この状態ではタクトキー９がスイッチ４を下方向に押すことができず、いわゆる空振りをしてしまい、スイッチ４をオンさせることができない。
【０００９】
本発明は上記従来の問題点にかんがみてなしたもので、多少の部品バラツキがあってキーがストローク時にぶれたりしても、キーとスイッチが確実に接触し、キーの潜り込みが発生しないキー操作部構造を提供することを目的とする。
【００１０】
【課題を解決するための手段】
本発明の請求項１に係るキー操作部構造は、上記目的を達成するために、キーを押し込んでスイッチに接触させることにより該キーを駆動するキー操作部構造において、上記キーの上記スイッチとの接触端側に、上記キーと上記スイッチとの接触可能範囲を広げる部材を設けてなることを特徴とする。
【００１１】
同請求項２に係るものは、上記目的を達成するために、請求項１のキー操作部構造において、上記接触範囲を広げる部材に代えて、上記キーと上記スイッチの接触面に位置する摩擦抵抗の大きい部材を設けてなることを特徴とする。
【００１２】
同請求項３に係るものは、上記目的を達成するために、請求項１のキー操作部構造において、上記接触範囲を広げる部材に代えて、上記キーと上記スイッチの接触する面それぞれに噛み合い可能な凹凸形状部を設けてなることを特徴とする。
【００１３】
【発明の実施の形態】
以下本発明の実施の形態を図面を参照して説明する。なお以下では従来と共通する部分には共通する符号を付すに止め、重複する説明は省略する。
図４は本発明に係る画像読取装置の操作部の第１実施形態の断面図である。本実施形態は、タクトキー９側の下端側に、タクトキー９が左右、前後方向にスライドしても沈み込まないようにするためのリブ状の部材１１を設けて、必ずスイッチ４を下方向に押してオンさせ得るようにしてある。すなわち、操作部カバー１から上方に飛び出したタクトキー９を押すと下側に沈み、スイッチ４を押す際に左右、前後方向に操作部のガタ分でタクトキー９が左右、前後方向に傾くが、部材１１によって確実にスイッチ４が押される。
【００１４】
図５は本発明に係る画像読取装置の操作部の第２実施形態の断面図である。本実施形態は、基板３の制約によりタクトキー９のスイッチ４付近にリブ等の接触可能範囲を広げる部材を設けられない場合のもので、スイッチ４とタクトキー９の接する面に摩擦係数の高い部材１２を貼付けてある。すなわち、操作部カバー１から上方に飛び出したタクトキー９を押すと下側に沈み、スイッチ４を押す際に操作部のガタ分でタクトキー９が左右、前後方向に傾こうとするが、スイッチ４とタクトキー９の接する面に位置する部材１２がタクトキー９の移動を阻止して下方向に動くように規制し、確実にスイッチ４が押される。
【００１５】
図６は本発明に係る画像読取装置の操作部の第２実施形態の断面図（Ａ）と要部拡大図（Ｂ）である。本実施形態も、基板３の制約によりタクトキー９のスイッチ４付近にリブ等の接触可能範囲を広げる部材を設けられない場合のもので、スイッチ４とタクトキー９の接する面それぞれに凹凸形状部１３、１４を設けてこれらが嵌り合うようにしてある。すなわち、操作部カバー１から上方に飛び出したタクトキー９を押すと下側に沈み、スイッチ４を押す際に操作部のガタ分でタクトキー９が左右、前後方向に傾こうとするが、凹凸形状部１３、１４はタクトキーが少し押された状態で噛合い、この噛合いによりタクトキー９が傾こうとする動きが規制され、確実にスイッチ４が押される。なお、タクトキー９が横方向に少しスライドしてもすぐに横の凹凸形状部分が嵌まり合って動かなくなる。
【００１６】
【発明の効果】
請求項１に係るキー操作部構造は、以上説明してきたように、押し込むことによってスイッチと接触させるキーの接触端側に、スイッチとの接触可能範囲を広げる部材を設けてなるので、キーがスイッチの上部を平行に押せずに外れてしまっても、キーを確実に押せるようになり、キーのもぐり込みが発生せず、多少の部品バラツキがあっても確実なキー操作が可能なものになるという効果がある。
【００１７】
請求項２及び３に係るキー操作部構造は、それぞれ以上説明してきたように、キーとスイッチとの接触可能範囲を広げる部材を、キーとスイッチの接触面に位置する摩擦抵抗の大きい部材としたので、上記共通の効果に加え、基板の制約によりスイッチ付近にリブ等の接触可能範囲を広げる部材を設けられなくても、キーがスイッチ上で逃げることがなく、スイッチが確実に押されるという効果がある。
【図面の簡単な説明】
【図１】従来のキー操作部構造の一例を示す分解斜視図である。
【図２】同断面図である。
【図３】同動作状態の断面図である。
【図４】本発明に係る画像読取装置の操作部の第１実施形態の断面図である。
【図５】本発明に係る画像読取装置の操作部の第２実施形態の断面図である。
【図６】本発明に係る画像読取装置の操作部の第３実施形態の断面図（Ａ）と要部拡大図（Ｂ）である。
【符号の説明】
１　操作部カバー
１ａ　水平部位
１ｂ　角度を付けた部位
２　タクトキー
３　基板
４　キー用スイッチ
５　ＬＣＤ（表示部）
６　ねじ
９　タクトキー
１１　リブ状の部材
１２　摩擦係数の高い部材
１３、１４　凹凸形状部
【図１】
2004087184.tif 000003
【図２】
2004087184.tif 000004
【図３】
2004087184.tif 000005
【図４】
2004087184.tif 000006
【図５】
2004087184.tif 000007
【図６】
2004087184.tif 000008